(57)【特許請求の範囲】
【請求項１】
コンピュータネットワークに接続された情報端末からの情報提供要求に応じて、該情報端末に情報を提供する個人適用情報提供サーバにおける情報提供方法であって、
前記情報端末から情報提供要求として、情報の格納位置を受信する第１の手順と、
前記情報の格納位置と該情報に割り当てた情報の内容を識別するための値である内容ＩＤの対応が記憶されたテーブルを参照して、受信した情報の格納位置情報から内容ＩＤに変換する第２の手順と、
変換された内容ＩＤが、前記情報端末に情報を提供した履歴に登録されているかを判定し、登録または、未登録に応じて、情報提供サーバに要求する情報を決定し、該情報を前記情報提供サーバに要求する第３の手順と、
前記情報提供サーバに要求した情報を、該情報提供サーバから取得する第４の手順と、
前記取得した情報に対応する内容ＩＤを前記履歴に蓄積する第５の手順と、
前記取得した情報を前記第１の手順にて情報提供要求があった前記情報端末に送信する第６の手順と、
を有することを特徴とする情報提供方法。
【請求項２】
前記内容ＩＤに対応する前提ＩＤを格納しておき、
前記情報端末から前記情報提供要求を受信した際に、
前記前提ＩＤが既に履歴情報として格納されている場合のみ、前記情報端末に該情報提供要求に対応する情報を該情報端末に送信する請求項１記載の情報提供方法。
【請求項３】
前記情報提供サーバから提供される情報に含まれる、前記情報端末がサーバを指定するためのリンクを、前記個人適応情報提供サーバを指定するように変更する請求項１記載の情報提供方法。
【請求項４】
コンピュータネットワークに接続された情報端末からの情報提供要求に応じて、該情報端末に情報を提供する個人適用情報提供サーバであって、
前記情報の格納位置と該情報に割り当てた情報の内容を識別するための値である内容ＩＤの対応が記憶されたアドレス−内容ＩＤ対応表と、
利用者が閲覧した情報の履歴として該情報に対応する内容ＩＤを蓄積する履歴蓄積手段と、
前記情報端末から情報提供要求として、情報の格納位置を受信する要求受付手段と、
前記アドレス−内容ＩＤ対応表を参照して、受信した情報の格納位置情報から内容ＩＤに変換する内容ＩＤ変換手段と、
変換された内容ＩＤが、前記履歴蓄積手段に登録されているかを判定し、登録または、未登録に応じて、情報提供サーバに要求する情報を決定し、該情報を該情報提供サーバに要求する情報選択・要求手段と、
前記情報選択・要求手段で情報提供サーバに要求した情報を、該情報提供サーバから取得して、取得した情報に対応する内容ＩＤを前記履歴蓄積手段に蓄積すると共に、前記要求受付手段にて情報提供要求があった前記情報端末に送信する送信手段と、
を有することを特徴とする個人適応情報提供サーバ。
【請求項５】
前記アドレス−内容ＩＤ対応表は、
前記内容ＩＤに対応する前提ＩＤを含み、
前記送信手段は、
前記要求受付手段が前記情報端末から前記情報提供要求を受信した際に、前記前提ＩＤが既に履歴情報として前記履歴情報蓄積手段に格納されている場合のみ、前記情報端末に該情報提供要求に対応する情報を送信する請求項４記載の個人適応情報提供サーバ。
【請求項６】
前記情報提供サーバから提供される情報に含まれる、前記情報端末がサーバを指定するためのリンクを、前記個人適応情報提供サーバを指定するように変更するリンク変更手段を更に有する請求項４記載の個人適応情報提供サーバ。
【請求項７】
コンピュータネットワークに接続された情報端末からの情報提供要求に応じて、該情報端末に情報を提供する個人適用情報提供サーバに実行させる情報提供プログラムを格納した記憶媒体であって、
請求項１乃至３記載のいずれかに記載の情報提供方法をコンピュータで実現するためのプログラムを格納したことを特徴とするコンピュータ読み取り可能な記憶媒体。
【発明の詳細な説明】
【０００１】
【発明の属する技術分野】
本発明は、情報提供方法及び個人適応情報提供サーバ及び情報提供プログラムを格納した記憶媒体に係り、特に、ＷＷＷを利用した情報提供システムのように、利用者が連続して同じ情報提供サーバに、情報端末に表示された情報中の一部分（アンカー）を選択することにより情報提供要求を行い、情報を取り出す場合の情報提供方法及び個人適応情報提供サーバ及び情報提供プログラムを格納した記憶媒体に関する。
【０００２】
【従来の技術】
以下に２つの従来の技術を説明する。
［第１の従来の技術］
図１５は、第１の従来の技術における構成を示す。
同図に示す構成は、複数の情報端末１、コンピュータネットワーク３、少なくとも１つの情報提供サーバ２より構成される。複数の情報端末１と情報提供サーバ２はコンピュータネットワーク３に接続されている。
【０００３】
図１６は、従来の情報提供サーバから受信した情報の表示例である。情報提供サーバ２に格納されてる情報は、文章や画像等で、文章中あるいは、画像中の一部に他の情報があることを示すアンカーと呼ばれるマーク２０（同図において下線が施されている部分）が表示される。利用者はアンカーを選択することにより、別の情報を取得できる。アンカーを選択して得られる別の情報を指定するために必要な情報を格納しているサーバ名とその情報のファイル名の組をリンクと呼ぶ。図１６は、例えば、「データ型」というアンカー２０ａから「データ型」という概念を説明する情報へのリンク３０ａが存在していることを示している。
【０００４】
図１７は、第１の従来の技術における情報提供サーバが有する情報フォーマットの例である。同図では、情報提供サーバ２に格納されている情報（情報Ａ）の一部に、リンク（情報Ｂ、サーバａ）が存在することを表している。この場合、利用者がアンカーを選択することにより、リンクに明記された情報提供サーバ（サーバａ）に接続して別の情報（情報Ｂ）を得ることができる。
【０００５】
これにより、利用者はコンピュータネットワークに接続された複数のサーバ上から情報を呼び出して自分の情報端末に表示させることができる。
［第２の従来の技術］
第２の従来の技術は、利用者履歴に応じて利用者に提供する情報を調節する情報提供方法である。
【０００６】
図１８は、第２の従来技術の構成例を示す。同図に示す構成は、複数の情報端末１、コンピュータネットワーク３、少なくとも１つの情報提供サーバ２と各々の情報提供サーバの利用者履歴（情報提供履歴）を蓄積する利用履歴記憶部４より構成される。
複数の情報端末１と情報提供サーバ２は、コンピュータネットワーク３に接続されている。
【０００７】
図１９は、第２の従来技術における情報提供システムの構成を示す。
情報提供サーバ２は、利用者履歴を蓄積するための利用者履歴蓄積部２１１、提供される情報を格納した提供情報蓄積部２１２、利用者の要求から利用履歴に基づいて提供する情報を決定する情報選択部２１３、決定した提供情報を情報端末に送信する情報送信部２１４から構成される。
【０００８】
図２０に示す提供情報蓄積部２１２に格納された情報は、階層構造に構造化されることを表している。さらに、個々の情報には、その情報に含まれる概念を表す内容ＩＤと呼ばれる番号を対応付ける。同図は、情報Ａ〜情報Ｇが階層構造の終端ノードとして構造化された第１の階層にある情報Ａ〜情報Ｄには、それぞれＩＤ＿１〜ＩＤ＿５の内容ＩＤが対応付けられていることを表している。
【０００９】
情報の構造は、図２１に示されるように、個々の情報を情報提供サーバ２内の提供情報蓄積部２１２の中では、ファイル名とその情報が属する階層毎に付けたグループ名と階層の深さを記述する表示によって表現される。同図の例では、情報が情報Ａ〜Ｄについては、“ｇｒｏｕｐ１”の階層の深さが「２」、情報Ｅ、Ｆについては、“ｇｒｏｕｐ２”の階層の深さ「３」、情報Ｇについては、“ｇｒｏｕｐ３”の階層の深さが「３」として構造化されていることを表している。
【００１０】
図２２は、情報の格納位置と内容ＩＤの対応を表すテーブルを示しており、同図に示すテーブルは、提供情報蓄積部２１２内で保持される。同図では、情報Ａ（ファイル名「情報Ａ」）には、ＩＤ＿１，ＩＤ＿２が対応付けされている。情報Ｂ（ファイル名「情報Ｂ」）には、ＩＤ＿１，ＩＤ＿３が対応付けされている。情報Ｃ（ファイル名「情報Ｃ」）には、ＩＤ＿４、情報Ｄ（ファイル名「情報Ｄ」）には、ＩＤ＿２，ＩＤ＿４，ＩＤ＿５が対応付けられていることを示している。
【００１１】
第２の従来技術では、情報提供サーバ２は、情報端末１に最初の情報（情報Ａ）を提供した後にその情報が属する階層の中で順番に情報を送信し、その階層内の情報を提供し尽くすと、また、別の階層から情報を選択するという方式で情報提供を行っている。
以下では、第２の従来技術における動作例を説明する。図２３は、第２の従来技術の動作のフローチャートである。
【００１２】
まず、利用者が情報端末１から情報提供サーバ２に「次画面」「前画面」「終了」というコマンドを送ることにより、情報を要求する（ステップ１０）。以下では、このような情報要求の方法をコマンドによる情報要求と呼ぶ。コマンドは、コンピュータネットワーク３を介して情報提供サーバ２に送られる。情報提供サーバ２は、コンピュータネットワーク３を介して情報端末１から要求されたコマンド名を受信し（ステップ１１）、そのコマンドがどのような要求なのかを解釈する（ステップ１２）。ここで、「次画面」は、次の画面として提供可能な情報を探すためのコマンドであり、「前画面」は一つ前に提供された画面をもう一度要求するコマンド、「終了」は情報提供要求を終了して、情報提供サーバ２との接続を切断するための処理要求を発行するコマンドである。
【００１３】
情報提供サーバ２は、提供情報蓄積部２１２から提供する情報を探し出して決定する際には（ステップ１３）、情報提供サーバ２が情報端末１に送り出す情報は、提供情報蓄積部２１２に蓄積された情報の構造と、情報に対応付けられた内容ＩＤによる利用者履歴を利用する。コマンドが「次画面」であるとき、同じ階層に属する情報（情報Ａ〜情報Ｄ）を次に提供する情報の候補とする。次に内容ＩＤの取得状況（利用者履歴）を参照し、未取得の内容ＩＤを対応付けられた情報を提供情報として特定する。複数の候補がある場合は、若い番号の内容ＩＤを先に選択するよう提供情報を特定する。
【００１４】
選択された情報に対応付けられた内容ＩＤを追加記録して利用者履歴を更新する（ステップ１４）。決定した提供情報を提供情報蓄積部２１２から取得し、情報要求元の情報端末１に送信する（ステップ１５）。
以上で、情報提供サーバ２側の処理は終了である。情報端末１は、この情報提供サーバ２から情報受信し（ステップ１６）、情報を表示する（ステップ１７）。
【００１５】
以上の処理を繰り返すことにより、利用者が情報端末からコマンドを送信すると、情報提供システムが情報に対応付けられた内容ＩＤによる利用者履歴に基づいて、例えば、全ての情報を最低１回は利用者に閲覧させるような情報提供方式を実現させることができる。
【００１６】
【発明が解決しようとする課題】
しかしながら、上記従来の技術には、以下のような問題がある。
第１の従来技術においては、利用者は、情報内のアンカーを選択することにより、無条件に他の情報を取得することができる。しかし、この場合、利用者履歴が残らないため、利用者履歴に基づいた利用者適応型の情報提供ができないという問題がある。
【００１７】
本発明は、上記の点に鑑みなされたもので、利用者がコマンドで要求する以外にアンカーを選択して要求した情報も利用者履歴の記録を可能とし、利用者はアンカーを選択することによって、自分の利用履歴を基にした利用者適応型の情報提供を受けられる情報提供方法及び個人適応情報提供サーバ及び情報提供プログラムを格納した記憶媒体を提供することを目的とする。
【００１８】
【課題を解決するための手段】
図１は、本発明の原理を説明するための図である。
本発明は、コンピュータネットワークに接続された情報端末からの情報提供要求に応じて、該情報端末に情報を提供する個人適用情報提供サーバにおける情報提供方法であって、
情報端末から情報提供要求として、情報の格納位置を受信する第１の手順と（ステップ１）、
情報の格納位置と該情報に割り当てた情報の内容を識別するための値である内容ＩＤの対応が記憶されたテーブルを参照して、受信した情報の格納位置情報から内容ＩＤに変換する第２の手順と（ステップ２）、
変換された内容ＩＤが、前記情報端末に情報を提供した履歴に登録されているかを判定し、登録または、未登録に応じて、情報提供サーバに要求する情報を決定し、該情報を前記情報提供サーバに要求する第３の手順と（ステップ３）、
情報提供サーバに要求した情報を、該情報提供サーバから取得する第４の手順と（ステップ４）、
取得した情報に対応する内容ＩＤを履歴に蓄積する第５の手順と（ステップ５）、
取得した情報を第１の手順にて情報提供要求があった情報端末に送信する第６の手順と（ステップ６）、を有する。
【００２０】
また、本発明は、内容ＩＤに対応する前提ＩＤを格納しておき、情報端末から情報提供要求を受信した際に、前提ＩＤが既に履歴情報として格納されている場合のみ、情報端末に該情報提供要求に対応する情報を該情報端末に送信する。
また、本発明は、情報提供サーバから提供される情報に含まれる、情報端末がサーバを指定するためのリンクを、個人適応情報提供サーバを指定するように変更する。
【００２１】
図２は、本発明の原理構成図である。
本発明は、コンピュータネットワークに接続された情報端末１からの情報提供要求に応じて、該情報端末１に情報を提供する個人適用情報提供サーバであって、
情報の格納位置と該情報に割り当てた情報の内容を識別するための値である内容ＩＤの対応が記憶されたアドレス−内容ＩＤ対応表５１１と、
利用者が閲覧した情報の履歴として該情報に対応する内容ＩＤを蓄積する履歴蓄積手段５１２と、
情報端末１から情報提供要求として、情報の格納位置を受信する要求受付手段５１３と、
アドレス−内容ＩＤ対応表５１１を参照して、受信した情報の格納位置情報から内容ＩＤに変換する内容ＩＤ変換手段５１４と、
変換された内容ＩＤが、履歴蓄積手段５１２に登録されているかを判定し、登録または、未登録に応じて、情報提供サーバ２に要求する情報を決定し、該情報を該情報提供サーバ２に要求する情報選択・要求手段５１５と、
情報選択・要求手段５１５で情報提供サーバに要求した情報を、該情報提供サーバ２から取得して、取得した情報に対応する内容ＩＤを履歴蓄積手段５１２に蓄積すると共に、要求受付手段５１３にて情報提供要求があった情報端末１に送信する送信手段５１６と、を有する。
【００２３】
また、上記のアドレス−内容ＩＤ対応表５１１は、内容ＩＤに対応する前提ＩＤを含み、
送信手段５１６は、要求受付手段５１３が情報端末１から情報提供要求を受信した際に、前提ＩＤが既に履歴情報として履歴情報蓄積手段５１２に格納されている場合のみ、情報端末１に該情報提供要求に対応する情報を送信する。
【００２５】
また、本発明の個人適応情報提供サーバは、情報提供サーバ２から提供される情報に含まれる、情報端末１がサーバを指定するためのリンクを、当該個人適応情報提供サーバ５を指定するように変更するリンク変更手段を更に有する。
本発明は、コンピュータネットワークに接続された情報端末からの情報提供要求に応じて、該情報端末に情報を提供する個人適用情報提供サーバに実行させる情報提供プログラムを格納した記憶媒体であって、上記情報提供方法をコンピュータで実現するためのプログラムを格納したコンピュータ読み取り可能な記憶媒体である。
【００２８】
上記の如く、本発明では、従来の技術のように、利用者が情報端末の画面上に表示されたアンカーを選択し、情報端末から情報の格納位置を指定して情報を要求し、個人適応情報提供サーバがその要求を受信し、コンピュータネットワークに接続された複数の情報提供サーバから利用者に適応した情報を提供することが可能となる。
【００２９】
本発明の情報提供システムでは、利用者履歴を一つの個人適応情報提供サーバで一括管理するために、利用者からの情報要求は常にこのサーバに送信される。利用者からの要求は情報端末により必ず個人適応情報提供サーバに送信されるように設定されているものとする。利用者からの要求を受信した個人適応情報サーバでは、利用者履歴に適応した情報を選択決定し、コンピュータネットワークに接続された複数の情報提供サーバのうちの一つの提供情報蓄積部から取得し、情報端末１に送信することが可能となる。
【００３０】
詳しくは、情報端末が個人適応情報提供サーバに接続し、利用者が選択したアンカーのリンク先の情報の格納位置（アドレス）を利用者の要求として送信する。これにより、個人適応情報提供サーバは、情報端末からの情報提供要求を受信し、受信した要求はアドレスから内容ＩＤ変換処理により、その情報に対応付けられた内容ＩＤに変換する。変換された内容ＩＤは、前回までに利用者がどの内容ＩＤを取得しているか、即ち、利用者履歴に基づいて提供情報を決定し、情報提供サーバからその情報を取得する。取得された情報は、情報提供サーバ内の情報蓄積部から呼び出され、利用者履歴を更新した後、情報端末へ送信される。情報端末では、情報提供サーバから提供情報を受信し、情報表示する。
【００３１】
さらに、本発明では、リンクを書き換えることにより、利用者からの要求が常に個人適応提供サーバに送ることを可能としている。
詳しくは、情報端末において、個人適応情報提供サーバに接続し、初期画面の提供を受ける。初期画面で利用者が選択したアンカーに対応した情報の格納位置を利用者の要求として、情報提供サーバに送信する。個人適応情報提供サーバでは、情報端末からのリンクによる情報の格納位置（アドレス）で情報提供要求を受信し、受信した情報の格納位置をアドレス−内容ＩＤにより当該情報に対応付けられた内容ＩＤに変換する。変換した内容ＩＤは情報選択時に利用者の履歴に基づいて提供情報を選択し取得する。取得された情報に含まれるリンクは個人適応情報提供サーバを指定するように書き換えられる。リンクが書き換えられた情報は利用者履歴を更新した後、情報端末に送信され、情報端末では、当該情報を受信して表示することが可能となる。
【００３２】
【発明の実施の形態】
最初に、本発明の第１のシステムについて説明する。当該第１のシステムは、個人適応型情報提供サーバにおいて情報端末から送信されたコマンドに応じて、自サーバ内で、コマンドに対応する情報名を取得し、情報提供を行う情報提供サーバが格納している情報を検索して、情報提供サーバから提供された情報を情報端末に送信するものである。
【００３３】
図３は、本発明の第１の情報提供システムの構成を示す。
同図において、図１９と同一構成部分には同一符号を付し、その説明を省略する。
同図に示す構成は、情報端末１、個人適応型情報提供サーバ５（以下単にサーバと記す）及び情報提供サーバ２から構成され、これらは、コンピュータネットワークを介して接続されており、情報端末１では、利用者からの要求は必ず個人適応情報提供サーバ５に送信されるように設定されている。
【００３４】
情報端末１の選択情報要求部１１では、アンカーのリンク先の情報の格納位置（アドレス）を要求する。
個人適応型情報提供サーバ５は、情報提供部５１を有し、当該情報提供部５１は、アドレス−内容ＩＤ変換表５１１、利用者履歴蓄積部５１２、アドレス−内容ＩＤ変換部５１４、情報選択部５１５及び情報送信部５１６から構成される。
【００３５】
アドレス−内容ＩＤ変換表５１１は、情報提供サーバ２内の情報の格納位置（アドレス）とその情報に割り当てた情報の内容を識別するための値である内容ＩＤの対応を記述した表である。
利用者履歴蓄積部５１２は、利用者が過去に閲覧した情報の履歴を当該情報に対応付けられた内容ＩＤと共に蓄積する。
【００３６】
アドレス−内容ＩＤ変換部５１４は、情報端末１から要求を取得して、当該要求に含まれる情報のアドレスをアドレス−内容ＩＤ変換表５１１を参照して内容ＩＤに変換する。
情報選択部５１５は、アドレス−内容ＩＤ変換部５１４で変換された内容ＩＤに基づいて利用者履歴蓄積部５１２を検索して、当該内容ＩＤを既に利用者が取得しているかを判定し、もし取得していない場合には、当該内容ＩＤを情報提供サーバ２に情報要求として送信する。また、既に当該内容ＩＤの情報を取得している場合には、当該情報の付加情報等を取得するための情報要求を情報提供サーバ２に送信する。これにより、情報提供サーバ２から取得した情報を情報送信部５１６に転送する。
【００３７】
情報送信部５１６は、情報選択部５１５から取得した情報を情報端末１に送信する。
図４は、本発明の第１の情報提供の一連の動作を示す図である。
ステップ１０１）  情報端末１の選択情報要求部１１が、情報アドレスにより要求を個人適応情報提供サーバ５に送信する。
【００３８】
ステップ１０２）  個人適応情報提供サーバ５のアドレス−内容ＩＤ変換部５１４は、情報端末１からの要求を受信する。
ステップ１０３）  個人適応情報提供サーバ５のアドレス−内容ＩＤ変換部５１４は、情報端末１からの要求に基づいてアドレス−内容変換表５１１を参照して要求のアドレスに対応する情報の内容ＩＤを取得する。
【００３９】
ステップ１０４）  情報選択部５１５は、取得した内容ＩＤが既に利用者履歴蓄積部５１２に登録されているかを判定し、登録されている場合には、当該情報に対応する付加情報や、関連情報を情報提供サーバ２に対して要求し、もし、未だ登録されていない場合には、当該内容ＩＤに対応する情報を提供する情報提供サーバ２に対して情報を要求する。
【００４０】
ステップ１０５）  情報選択部５１５は、情報提供サーバ２から情報を取得すると共に、利用者履歴蓄積部５１２の情報を更新する。
ステップ１０６）  個人適応情報提供サーバ５の情報送信部５１６は、アドレス−内容ＩＤ変換部５１４で取得した情報を情報端末１に送信する。
ステップ１０７）  情報端末１の情報表示部１２は、個人適応情報提供サーバ５から送信された情報を受信する。
【００４１】
ステップ１０８）  情報表示部１２は、受信した情報を表示する。
次に、本発明の第２のシステムについて説明する。本システムは、あるリンクを書き換えることにより利用者からの要求が常に個人適応情報提供サーバに送られるものである。
図５は、本発明の第２のシステムの構成を示す。
【００４２】
同図に示すシステムにおいて、図３と同一構成部分には、同一符号を付しその説明を省略する。
図５に示すシステムは、個人適応情報提供サーバ５の情報提供部５１において、リンク書き換え部５１７が付加された構成である。
リンク書き換え部５１７は、情報選択部５１５で情報提供サーバ２から取得した情報に含まれるリンク情報に対して、次回から個人適応情報提供サーバ５を自動的に指定されるように書き換える。これにより、情報送信部５１６からリンクが書き換えられた情報が情報端末１に送ることができる。
【００４３】
図６は、本発明の第２の情報提供の一連の動作を示す図である。
ステップ１０１）  情報端末１の選択情報要求部１１が、情報アドレスにより要求を個人適応情報提供サーバ５に送信する。
ステップ２０２）  個人適応情報提供サーバ５のアドレス−内容ＩＤ変換部５１４は、情報端末１からの要求を受信する。
【００４４】
ステップ２０３）  個人適応情報提供サーバ５のアドレス−内容ＩＤ変換部５１４は、情報端末１からの要求に基づいてアドレス−内容変換表５１１を参照して要求のアドレスに対応する情報の内容ＩＤを取得する。
ステップ２０４）  情報選択部５１５は、取得した内容ＩＤに基づいて利用者履歴蓄積部５１２を検索し、当該内容ＩＤが既に登録されている場合には、当該内容ＩＤに関する付加情報や関連情報を情報提供サーバ２に要求し、また、登録されていない場合には、当該内容ＩＤに対応する情報を提供する情報提供サーバ２に対して情報を要求する。
【００４５】
ステップ２０５）  情報提供サーバ２から情報選択部５１５が情報提供サーバ２から情報を取得すると、当該情報をリンク書き換え部５１７に転送する。これによりリンク書き換え部５１７は、取得した情報に含まれるリンクが当該個人適応型情報提供サーバ５を指定するように書き換える。
ステップ２０６）  情報選択部５１５は、情報提供サーバ２から情報を取得すると共に、利用者履歴蓄積部５１２の情報を更新する。
【００４６】
ステップ２０７）  個人適応情報提供サーバ５の情報送信部５１６は、リンク書き換え部５１７でリンクが書き換えられた情報を情報端末１に送信する。
ステップ２０８）  情報端末１の情報表示部１２は、個人適応情報提供サーバ５から送信された情報を受信する。
ステップ２０９）  情報表示部１２は、受信した情報を表示する。
【００４７】
次に、リンク書き換え部５１７における処理を説明する。
図７は、本発明のリンク書き換え部の動作を説明するための図である。
同図では、利用者が選択したリンクの“サーバ２1 ”の記述を“サーバ５1 ／サーバ２1 ”のように書き換え、一旦個人適応情報提供サーバ５1 を経由してから情報提供サーバ２1 に接続して情報を取得するように変更していることを表している。これにより、利用者が要求した情報提供サーバ２1 にある情報名Ｘという情報を提供することができる。
【００４８】
以上のように、本発明の情報提供方法では、利用者のアンカー選択による情報提供要求を一旦個人適応情報提供サーバ５1 で受信し、コンピュータネットワーク３に接続された複数の情報提供サーバ２1 から上記の手順により利用者の利用履歴に応じた情報を取得し、情報端末１に送信することが可能となる。
【００４９】
【実施例】
以下、図面と共に本発明の実施例を説明する。
［第１の実施例］
最初に、前述の図３の構成に基づいて第１の実施例を説明する。
図８は、本発明の第１の実施例の情報と内容ＩＤの対応を示す。
【００５０】
同図では、「Ｃ言語のプログラミング」を教える教育システムにおいて、情報提供サーバ内の「データ型」を解説する情報（情報Ａ）にＩＤ＿１とＩＤ＿２とＩＤ＿６、「制御構造」を解説する情報（情報Ｂ）にＩＤ＿３とＩＤ＿４とＩＤ＿５，「関数」を解説する情報（情報Ｃ）にＩＤ＿６とＩＤ＿７、「ポインタ」を解説する情報（情報Ｄ）にＩＤ＿８を、それぞれ対応付けることを表している。
【００５１】
上記の情報の内容は、その概念を解説するために必要な知識がテキスト、静止画、動作、音声のような形で用意されている。また、各々情報は、「データ型」ではｉｎｔ型、ｃｈａｒ型、「制御構造」では、ｉｆ文、ｆｏｒ文、ｗｈｉｌｅ文、「関数」では、ｖｏｉｄ型、引数「ポインタ」では、ポインタの各項目を教えることとする。
【００５２】
図９は、本発明の第１の実施例の情報と内容ＩＤの意味の対応を表している。同図では、ＩＤ＿１は、ｉｎｔ型、ＩＤ＿２はｃｈａｒ型、ＩＤ＿３はｉｆ文、ＩＤ＿４はｆｏｒ文、ＩＤ＿５は、ｗｈｉｌｅ文、ＩＤ＿６はｖｏｉｄ型、ＩＤ＿７は引数、ＩＤ＿８は、ポインタをそれぞれ意味することを表しており、これに基づいて、その情報を提供することによって利用者が何を学んだのかを表現している。
【００５３】
図１０は、本発明の第１の実施例の動作を説明するための図であり、利用者が学習を開始した際に情報端末において表示される情報からのリンクを表している。アンカーとして「データ型」「制御構造」「関数」「引数」「ポインタ」を解説する情報が選択可能であることを表している。利用者は、アンカーを選択することにより、情報提供サーバ２に情報提供要求を送信し、情報の提供を受けることができる。
【００５４】
図１１は、本発明の第１の実施例の一連の動作を説明するためのシーケンスチャートであり、図１２は、本発明の第１の実施例のアドレス−内容ＩＤ対応表の例である。
ステップ３０１）  情報端末１は、個人適応情報提供サーバ５に対して、アンカーの「制御構造」に関するアドレスとして、“ａｄｄｒｅｓｓＢ”を要求する。
【００５５】
ステップ３０２）  個人適応情報提供サーバ５は、“ａｄｄｒｅｓｓＢ”を受信する。
ステップ３０３）  個人適応情報提供サーバ５のアドレス−内容ＩＤ変換部５１４は、図１２に示すアドレス−内容ＩＤ変換表５１１を参照して、“ａｄｄｒｅｓｓＢ”を内容ＩＤ“ＩＤ＿３”、“ＩＤ＿４”、“ＩＤ＿５”に変換する。
【００５６】
ステップ３０４）  情報選択部５１５は、アドレス−内容ＩＤ変換部５１４から取得した、内容ＩＤ“ＩＤ＿３”、“ＩＤ＿４”、“ＩＤ＿５”に基づいて利用者履歴蓄積部５１２を参照するが、このとき、履歴情報はまだ蓄積されていない。従って、当該内容ＩＤ“ＩＤ＿３”、“ＩＤ＿４”、“ＩＤ＿５”に対応する情報を情報提供サーバ２1 に対して情報提供要求を発行する。
【００５７】
ステップ３０５）  情報提供サーバ２1 は、情報提供要求『情報Ｂ』に対する情報を個人適応情報提供サーバ５に送信する。
ステップ３０６）  情報選択部５１５は、情報提供サーバ２1 から内容ＩＤ“ＩＤ＿３”、“ＩＤ＿４”、“ＩＤ＿５”に対応する『情報Ｂ』を取得すると、利用者履歴蓄積部５１２に、利用者ＩＤ（または氏名、端末アドレス）と共に、情報Ｂに対する内容ＩＤ“ＩＤ＿３”、“ＩＤ＿４”、“ＩＤ＿５”を格納する。
【００５８】
ステップ３０７）  情報選択部５１５は、取得した『情報Ｂ』（制御構造に関する情報）を情報送信部５１６に転送し、これにより、情報送信部５１６は、当該情報をネットワークを介して情報端末１に送信する。
ステップ３０８）  情報端末１の情報表示部１２は、ステップ３０１において指定した情報『情報Ｂ』（制御構造に関する情報）を表示する。
【００５９】
引き続き、情報端末１から「ポインタ」に関する情報が要求されたものとして以下に説明する。
ステップ３１０）  個人適応情報提供サーバ５に対して、アンカー情報の「ポインタ」に関するアドレスとして、“ａｄｄｒｅｓｓＤ”を要求する。
ステップ３１１）  個人適応情報提供サーバ５は、当該“ａｄｄｒｅｓｓＤ”を受信する。
【００６０】
ステップ３１２）  個人適応情報提供サーバのアドレス−内容ＩＤ変換部５１４は、図１２に示すアドレス−内容ＩＤ変換表５１１を参照して、“ａｄｄｒｅｓｓＤ”を内容ＩＤ“ＩＤ＿８”に変換する。
ステップ３１３）  情報選択部５１５は、アドレス−内容ＩＤ変換部５１４から取得した、内容ＩＤ“ＩＤ＿８”に基づいて利用者履歴蓄積部５１２を参照するが、このとき、当該内容ＩＤ“ＩＤ＿８”の履歴情報はまだ蓄積されていない。当該内容ＩＤ“ＩＤ＿８”に対応する情報は、図８に示すように、『情報Ｄ』である。なお、この例では、情報Ｄを提供する情報提供サーバ２は、サーバ２1 であるとして説明する。情報選択部５１５は、当該内容ＩＤ“ＩＤ＿８”に基づいて情報提供サーバ２1 に対して情報提供要求を発行する。
【００６１】
ステップ３１４）  情報提供サーバ２1 は、情報提供要求『情報Ｄ』に対する情報を個人適応情報提供サーバ５に送信する。
ステップ３１５）  情報選択部５１５は、情報提供サーバ２1 から『情報Ｄ』を取得すると、利用者履歴蓄積部５１２に、利用者ＩＤ（または氏名、端末アドレス）と共に、内容ＩＤ“ＩＤ＿８”を格納する。
【００６２】
ステップ３１６）  情報選択部５１５は、取得した『情報Ｄ』（ポインタに関する情報）を情報送信部５１６に転送し、これにより、情報送信部５１６は、当該情報をネットワークを介して情報端末１に送信する。
ステップ３１７）  情報端末１の情報表示部１２は、ステップ３０１において指定した情報『情報Ｄ』（ポインタに関する情報）を表示する。
【００６３】
引き続き、情報端末１から上記と同様に「ポインタ」に関する情報が要求された例を以下に説明する。
ステップ３２０）  情報端末１は、個人適応情報提供サーバ５に対して、アンカー情報の「ポインタ」に関するアドレスとして、再度“ａｄｄｒｅｓｓＤ”を要求する。
ステップ３２１）  個人適応情報提供サーバ５は、“ａｄｄｒｅｓｓＤ”を受信する。
【００６４】
ステップ３２２）  個人適応情報提供サーバ５のアドレス−内容ＩＤ変換部５１４は、図１２に示すアドレス−内容ＩＤ変換表５１１を参照して、“ａｄｄｒｅｓｓＤ”を内容ＩＤ“ＩＤ＿８”に変換する。
ステップ３２３）  情報選択部５１５は、アドレス−内容ＩＤ変換部５１４から取得した、内容ＩＤ“ＩＤ＿８”に基づいて利用者履歴蓄積部５１２を参照する。このとき、当該内容ＩＤ“ＩＤ＿８”の履歴情報は既に利用者履歴蓄積部５１２に蓄積されている。このため、情報選択部５１５は、当該要求（ＩＤ＿８）に関する履修は終了しているものと判定し、当該情報に関する演習問題を提供するように情報提供サーバ２1 に要求する。なお、このとき、演習問題にも内容ＩＤを対応付けておけば、当該内容ＩＤで情報要求が可能である。この場合の内容ＩＤを“ＩＤ＿９”とする。
【００６５】
ステップ３２４）  サーバ２1 は、内容ＩＤ“ＩＤ＿９”に対応する情報として、演習問題を個人適応情報提供サーバ５に送信する。
ステップ３２５）  個人適応情報提供サーバ５の情報選択部５１５は、情報提供サーバ２1 から『演習問題』を取得すると、利用者履歴蓄積部５１２に、利用者ＩＤ（または氏名、端末アドレス）と共に、情報Ｄに対する内容ＩＤ“ＩＤ＿９”を格納する。
【００６６】
ステップ３２６）  情報選択部５１５は、取得した『演習問題』を情報送信部５１６に転送し、これにより、情報送信部５１６は、当該情報をネットワークを介して情報端末１に送信する。
以降、情報端末１の利用者は、受信した『演習問題』を情報表示部１２に表示し、当該演習問題を解く。
【００６７】
これにより、本実施例では、演習問題にも内容ＩＤ（ＩＤ＿９）を対応付けることにより、利用者がその問題を間違った際に、当該間違った内容ＩＤに対応する情報（例えば、「ポインタ」に関する問題を間違った場合には、当該ポインタの内容ＩＤ＿８の情報）を再度、情報端末１に提示し、補習をさせることが可能となる。
【００６８】
［第２の実施例］
次に、本発明の第２の実施例として、ある情報を見る前に基礎知識として、他の情報を利用者にみせたい、または、実行させたいという場合を想定する。このような場合には、内容ＩＤの中に前提ＩＤを定義し、利用者が前提ＩＤを取得していないと前提ＩＤを対応づけられた情報を要求するように、利用者を促す情報を情報端末１に表示する利用法が考えられる。
【００６９】
本実施例においても『Ｃ言語のプログラミング』を教える教育システムを例として説明する。
本実施例では、情報提供側は、「関数」（内容ＩＤ：ＩＤ＿６（前提ＩＤ））について学習してから「引数」（内容ＩＤ：ＩＤ＿７）を学習した方が学習効率がよいと考えるものとする。
【００７０】
前述の第１の実施例における図１２のアドレス−ＩＤ変換表における“ａｄｄｒｅｓｓＣ”における内容ＩＤにおいて“＊”が付与されているものが、前提ＩＤであるとして説明する。
図１３は、本発明の第２の実施例の一連の動作を示すシーケンスチャートである。
【００７１】
ステップ４０１）  情報端末１は、個人適応情報提供サーバ５に対して、アンカー情報として、「制御構造」に関するアドレスとして、“ａｄｄｒｅｓｓＢ”を要求する。
ステップ４０２）  個人適応情報提供サーバ５は、“ａｄｄｒｅｓｓＢ”を受信する。
【００７２】
ステップ４０３）  個人適応情報提供サーバ５のアドレス−内容ＩＤ変換部５１４は、図１２に示すアドレス−内容ＩＤ変換表５１１を参照して、“ａｄｄｒｅｓｓＢ”を内容ＩＤ“ＩＤ＿３”、“ＩＤ＿４”、“ＩＤ＿５”に変換する。ステップ４０４）  情報選択部５１５は、アドレス−内容ＩＤ変換部５１４から取得した、内容ＩＤ“ＩＤ＿３”、“ＩＤ＿４”、“ＩＤ＿５”に基づいて利用者履歴蓄積部５１２を参照するが、このとき、履歴情報はまだ蓄積されていないので、当該内容ＩＤ“ＩＤ＿３”、“ＩＤ＿４”、“ＩＤ＿５”に対応する情報を情報提供サーバ２に対して情報提供要求を発行する。
【００７３】
ステップ４０５）  情報提供サーバ２1 は、情報提供要求“ＩＤ＿３”、“ＩＤ＿４”、“ＩＤ＿５”に対する情報『情報Ｂ』を個人適応情報提供サーバ５に送信する。
ステップ４０６）  情報選択部５１５は、情報提供サーバ２1 から『情報Ｂ』を取得すると、利用者履歴蓄積部５１２に、利用者ＩＤ（または氏名、端末アドレス）と共に、情報Ｂに対する内容ＩＤ“ＩＤ＿３”、“ＩＤ＿４”、“ＩＤ＿５”を格納する。
【００７４】
ステップ４０７）  情報選択部５１５は、取得した『情報Ｂ』（制御構造に関する情報）を情報送信部５１６に転送し、これにより、情報送信部５１６は、当該情報をネットワークを介して情報端末１に送信する。
ステップ４０８）  情報端末１の情報表示部１２は、ステップ３０１において指定した情報『情報Ｂ』（制御構造に関する情報）を表示する。
【００７５】
引き続き、情報端末１から「引数」に関する情報が要求されたものとして以下に説明する。
ステップ４０９）  個人適応情報提供サーバ５に対して、アンカー情報として、「引数」に関するアドレスとして、“ａｄｄｒｅｓｓＣ”を要求する。
ステップ４１０）  個人適応情報提供サーバ５は、当該“ａｄｄｒｅｓｓＣ”を受信する。
【００７６】
ステップ４１１）  個人適応情報提供サーバのアドレス−内容ＩＤ変換部５１４は、図１２に示すアドレス−内容ＩＤ変換表５１１を参照して、“ａｄｄｒｅｓｓＣ”を内容ＩＤ“ＩＤ＿７”に変換する。
ステップ４１２）  情報選択部５１５は、アドレス−内容ＩＤ変換部５１４から取得した、内容ＩＤ“ＩＤ＿７”に基づいて利用者履歴蓄積部５１２を参照するが、このとき、当該内容ＩＤ“ＩＤ＿７”の履歴情報はまだ蓄積されていない。当該内容ＩＤ“ＩＤ＿７”に対応する情報を情報提供サーバ２1 に対して要求する。
【００７７】
ステップ４１３）  情報提供サーバ２1 は、情報提供要求“ＩＤ＿７”に対する情報『情報Ｃ』を個人適応情報提供サーバ５に送信する。
ステップ４１４）  情報選択部５１５は、情報提供サーバ２1 から『情報Ｃ』を取得すると、利用者履歴蓄積部５１２に、利用者ＩＤ（または氏名、端末アドレス）と共に、閲覧した情報Ｃに対する内容ＩＤ“ＩＤ＿７”を格納する。
【００７８】
ステップ４１５）  情報選択部５１５は、『情報Ｃ』（引数に関する情報）を取得したが、図１２に示すように、当該“ＩＤ＿７”には前提ＩＤ“ＩＤ＿６”が設定されているため、情報送信部５１６を介して当該内容ＩＤ“ＩＤ＿７”を取得する前に前提内容ＩＤ“ＩＤ＿６”を情報要求として発行するように利用者に促すための画面を情報端末１に送信する。
【００７９】
ステップ４１６）  情報端末１では、個人適応情報提供サーバ５から送信された、『引数』に関する情報提供の前に内容ＩＤ“ＩＤ＿６”（関数）に関する情報を取得するように促された画面を表示する。
これにより、利用者が「関数」に関する情報（“ＩＤ＿６”）を選択するために図１０に示す初期画面から『関数』をクリックすることにより、情報要求を行うことができる。
【００８０】
さらに、この後しばらくして利用者が、情報端末１より「ポインタ」に関する情報を要求した例を以下に説明する。当該「ポインタ」が指定された時点において、当該利用者の利用者履歴蓄積部５１２には、ＩＤ＿１〜ＩＤ＿８の「Ｃ言語のプログラミング」全ての履修が終了し、これらの情報が格納されているものとする。
【００８１】
ステップ４２０）  個人適応情報提供サーバ５に対して、アンカー情報として、「ポインタ」に関するアドレスとして、“ａｄｄｒｅｓｓＤ”を要求する。
ステップ４２１）  個人適応情報提供サーバ５は、“ａｄｄｒｅｓｓＤ”を受信する。
ステップ４２２）  個人適応情報提供サーバ５のアドレス−内容ＩＤ変換部５１４は、図１２に示すアドレス−内容ＩＤ変換表５１１を参照して、“ａｄｄｒｅｓｓＤ”を内容ＩＤ“ＩＤ＿８”に変換する。
【００８２】
ステップ４２３）  情報選択部５１５は、アドレス−内容ＩＤ変換部５１４から取得した、内容ＩＤ“ＩＤ＿８”に基づいて利用者履歴蓄積部５１２を参照する。このとき、当該内容ＩＤ“ＩＤ＿８”を含め全ての内容ＩＤが既に利用者履歴蓄積部５１２に蓄積されている。このため、情報選択部５１５は、当該要求（ＩＤ＿８）に関する履修及び他の内容ＩＤに関する履歴は終了しているものと判定し、当該「Ｃ言語のプログラミング」全体に関する演習問題を提供するようにサーバ２1 に要求する。なお、このとき、演習問題にも内容ＩＤを対応付けておけば、当該内容ＩＤで情報要求が可能である。この場合の内容ＩＤを“ＩＤ＿９”とする。
【００８３】
ステップ４２４）  サーバ２1 は、内容ＩＤ“ＩＤ＿９”に対応する情報として、演習問題を個人適応情報提供サーバ５に送信する。
ステップ４２５）  個人適応情報提供サーバ５の情報選択部５１５は、情報提供サーバ２1 から『演習問題』を取得すると、利用者履歴蓄積部５１２に、利用者ＩＤ（または氏名、端末アドレス）と共に、情報Ｄに対する内容ＩＤ“ＩＤ＿９”を格納する。
【００８４】
ステップ４２６）  情報選択部５１５は、取得した『演習問題』を情報送信部５１６に転送し、これにより、情報送信部５１６は、当該情報をネットワークを介して情報端末１に送信する。
本実施例では、前述の第１の実施例に加えて、前提ＩＤが設定されている例を示した。これにより、まだある項目を学習しようとした場合に、当該項目の前提となる項目（前提ＩＤ）が利用者履歴蓄積部５１２に登録されていない場合には、未履修として、当該前提ＩＤの項目を履修するように利用者に促すことが可能となる。
【００８５】
［第３の実施例］
次に、第３の実施例として、コンピュータネットワーク上の全ての情報を利用者の利用履歴に合わせて提供できるようにするためには、全ての情報に内容ＩＤを対応付けなければならない。しかし、これは、実現不可能であると考えられる。このため、内容ＩＤを対応付けられていない情報を扱う方法が必要となる。
【００８６】
内容ＩＤを対応付けられていない情報は、当該情報を内容ＩＤに変換できないため、利用者履歴として、利用者履歴蓄積部５１２には残せない。そこで、本実施例では、情報提供サーバ２で管理している情報か否かは、情報の格納位置から内容ＩＤへの変換が可能であるか否かにより判定できることを利用して、内容ＩＤの対応付けられていない情報を扱う。
【００８７】
本実施例では、「Ｃ言語のプログラミング」を教える教育システムを例として内容ＩＤが対応付けられていない情報の対処方法について説明する。
図１４は、本発明の第３の実施例の内容ＩＤと情報の対応付けを説明するための図であり、同図は、情報端末１に表示された「制御構造」の情報を表している。本実施例では、当該情報中には、「ＢＡＳＩＣのプログラミング」と比較すると分かりやすいという意味で、「ＢＡＳＩＣの場合」という情報を要求できるように、アンカーが用意されている。しかし、「ＢＡＳＩＣの場合」の情報には、内容ＩＤは対応付けられておらず、利用者が「ＢＡＳＩＣの場合」の情報を要求しても情報アドレス−内容ＩＤ変換表５１１では変換できない。
【００８８】
このように、情報を内容ＩＤに変換できない場合には、内容ＩＤによる履歴更新ができないので、前回までの履歴情報（内容ＩＤ）を利用者履歴蓄積部５１２に蓄積する。情報を内容ＩＤに変換できない要求が複数回連続すると（例えば、３回）学習を始めた最初の情報を提示する。
これにより、内容ＩＤが対応付けられていない情報も情報提供サーバ２から読み出して個人適応情報提供サーバ５において、情報端末１に送信することが可能となる。
【００８９】
さらに、上記の実施例では、個人適応情報提供サーバ５の構成をベースに説明したが、この例に限定されることなく、個人適応情報提供サーバ５の機能をプロセスとして組み立て、これらのプロセスを１つのプログラムとして構築し、フロッピーディスクやＣＤ−ＲＯＭ等の可搬記憶媒体に格納して、上記のように、情報端末１からの要求を中継するサーバのコンピュータにインストールすることにより、容易に個人適応情報提供サーバを構築することが可能となる。
【００９０】
なお、本発明は、上記の実施例に限定されることなく、特許請求の範囲内で種々変更・応用が可能である。
【００９１】
【発明の効果】
上述のように、本発明によれば、情報を内容ＩＤと対応付け、情報が提供された際に、その情報の内容ＩＤを利用者履歴として蓄積することにより、情報端末の情報表示手段に表示された情報の一部分に別の情報を要求するためのアンカーがある場合、利用者がアンカーを選択して情報を取得すると、その情報に対応付けられた内容ＩＤが利用者履歴として蓄積される。さらに、蓄積された利用者履歴に基づいた利用者適応型の情報の提供が可能となる。
【００９２】
また、情報端末に情報提供サーバから取得した情報を渡す際に、当該情報のリンク情報を個人適応情報提供サーバのＩＤを指定しておくことにより、当該サーバが提供する情報に関連する情報を取得したい場合には、自動的に当該個人適応情報提供サーバを指定することが可能となる。
さらに、アドレス−内容変換表にある情報を提供する前に、利用者に利用して貰いたい情報のＩＤや、順序だてて閲覧すべき情報を提供したい場合に、前提内容ＩＤを設定しておくことにより、当該前提内容ＩＤに対応する情報提供要求を促すことが可能となり、教育システム等のある順序性を持って情報を提供する必要があるシステムに対して有効である。
【図面の簡単な説明】
【図１】本発明の原理を説明するための図である。
【図２】本発明の原理構成図である。
【図３】本発明の第１の情報提供システムの構成図である。
【図４】本発明の第１の情報提供の一連の動作を示す図である。
【図５】本発明の第２の情報提供システムの構成図である。
【図６】本発明の第２の情報提供の一連の動作を示す図である。
【図７】本発明のリンク書き換え部の動作を説明するための図である。
【図８】本発明の第１の実施例の情報と内容ＩＤの対応表である。
【図９】本発明の第１の実施例の情報と内容ＩＤの意味の対応を示す図である。
【図１０】本発明の第１の実施例の動作を説明するための図である。
【図１１】本発明の第１の実施例の一連の動作を説明するためのシーケンスチャートである。
【図１２】本発明の第１の実施例のアドレス−ＩＤ変換表の例である。
【図１３】本発明の第２の実施例の一連の動作を示すシーケンスチャートである。
【図１４】本発明の第３の実施例の内容ＩＤと情報の対応付けを説明するための図である。
【図１５】第１の従来技術における構成例を示す図である。
【図１６】第１の従来技術における情報提供サーバから受信した情報の表示例である。
【図１７】第１の従来技術における情報提供サーバが有する情報のフォーマットである。
【図１８】第２の従来技術の構成例を示す図である。
【図１９】第２の従来技術における情報提供システムの構成図である。
【図２０】第２の従来技術における情報の構造の例を示す図である。
【図２１】第２の従来技術の提供情報蓄積部内の情報構造の表現である。
【図２２】第２の従来技術における情報と内容ＩＤの対応付けを示す図である。
【図２３】第２の従来技術の動作を示すフローチャートである。
【符号の説明】
１  情報端末
２  情報提供サーバ
５  個人適応情報提供サーバ
１１  選択情報要求部
１２  情報表示部
５１  情報提供部
２１２  提供情報蓄積部
５１１  アドレス−内容ＩＤ変換表、アドレス−内容ＩＤ対応表
５１２  利用者履歴蓄積部，履歴蓄積手段
５１３  要求受付手段
５１４  アドレス−内容ＩＤ変換部、内容ＩＤ変換手段
５１５  情報選択部，情報選択・要求手段
５１６  情報送信部，送信手段
５１７  リンク書き換え部
【図１】
0003646471.tif 000002
【図２】
0003646471.tif 000003
【図３】
0003646471.tif 000004
【図４】
0003646471.tif 000005
【図５】
0003646471.tif 000006
【図６】
0003646471.tif 000007
【図７】
0003646471.tif 000008
【図８】
0003646471.tif 000009
【図９】
0003646471.tif 000010
【図１０】
0003646471.tif 000011
【図１１】
0003646471.tif 000012
【図１２】
0003646471.tif 000013
【図１３】
0003646471.tif 000014
【図１４】
0003646471.tif 000015
【図１５】
0003646471.tif 000016
【図１６】
0003646471.tif 000017
【図１７】
0003646471.tif 000018
【図１８】
0003646471.tif 000019
【図１９】
0003646471.tif 000020
【図２０】
0003646471.tif 000021
【図２１】
0003646471.tif 000022
【図２２】
0003646471.tif 000023
【図２３】
0003646471.tif 000024